(57)【特許請求の範囲】
【請求項１】
回線からの着信信号を検出する着信検出手段と、停電時であるか否かを検出する停電検出手段と、スピーカと回線との接続を切替える第１の切替手段と、マイクと回線との接続を切替える第２の切替手段と、制御手段と、を有し、
前記制御手段は、前記着信検出手段が回線からの着信を検出した際に、前記停電検出手段が停電時であることを検出したと判定すると、前記第１の切替手段を制御することにより前記スピーカと回線とを接続させると共に、前記第２の切替手段を制御することにより前記マイクと回線との接続を断とすることを特徴とする電話装置。
【発明の詳細な説明】
【技術分野】
【０００１】
本発明は、親機にハンドセットを有しないハンズフリー機能を備えた電話装置に関し、特に、停電時における電力消費の低減を実現する電話装置および電話装置の回線接続制御方法に関する。
【背景技術】
【０００２】
従来、着信時にハンドセットを持ち上げる動作を行わなくても、例えば、「ハーイ」という音声を認識して、オフフック動作を実行する機能を備えた電話装置が知られている（例えば、特許文献１参照）。こうした電話装置は、何かの用事をしていて直ぐにはハンドセットを持ち上げることができない場合や両手がふさがっていてハンドセットを持ち上げることができないような状況において効果的である。
【特許文献１】特開平５−２９２１８１号公報
【発明の開示】
【発明が解決しようとする課題】
【０００３】
ところで、親機側に有線（例えばカールコード）で接続されたハンドセットを有しない電話装置では、停電時に通話ができなくなるため、その対策として、停電時用の電池を備えたり、あるいは停電時用のハンズフリー回路が設けられていた。しかし、こうした対策をとる場合でも、停電時のためだけにバックアップ用の電池を備えることは、装置全体のコストアップにつながるという新たな問題を生じる。
【０００４】
また、ハンズフリー回路は、昨今、デジタル回路で構成されるため、停電時のためだけに別途ハンズフリー回路を設ける場合にも同様の問題が生じていた。
【０００５】
そこで、本発明は、上述の問題点に鑑みてなされたものであり、大幅なコストアップを生じることなく、停電時においても通話が可能で、しかも電力消費の少ないハンズフリー機能を有する電話装置および電話装置の回線接続制御方法を提供することを目的とする。
【課題を解決するための手段】
【０００６】
請求項１に記載の発明は、回線からの着信信号を検出する着信検出手段と、停電時であるか否かを検出する停電検出手段と、スピーカと回線との接続を切替える第１の切替手段と、マイクと回線との接続を切替える第２の切替手段と、制御手段と、を有し、前記制御手段は、前記着信検出手段が回線からの着信を検出した際に、前記停電検出手段が停電時であることを検出したと判定すると、前記第１の切替手段を制御することにより前記スピーカと回線とを接続させると共に、前記第２の切替手段を制御することにより前記マイクと回線との接続を断とすることを特徴とする。
【発明の効果】
【００１０】
本願発明によれば、停電時における着信後の回線接続後は、回線からの音声信号をスピーカから出力可能な状態である為、発呼側からの音声をユーザが聞くことができ、一方、マイクからの音声は回線へ出力できない状態であるため、マイクからの音声信号を増幅する為の増幅器等で消費される電力を低減することが可能である。
【発明を実施するための最良の形態】
【００１２】
次に、本発明の一実施形態に係る電話装置について、図面を参照して説明する。
【００１３】
本発明の一実施形態に係る電話装置は、図１に示すように、アンテナ１と、送受信部２と、スピーチネットワーク３と、回線制御部４と、制御回路５と、表示部６と、入力部（操作手段）７と、着信検出部８と、極性反転検出回路９と、ＲＯＭ１０と、ＲＡＭ１１と、スイッチ（切替手段）１２ａ、１２ｂと、アンプ１３ａ、１３ｂと、スピーカ（発音手段）１４と、マイク（音声入力手段）１５と、停電検出回路（停電検出手段）１６と、電話回線（回線）２０と、から構成されている。
【００１４】
アンテナ１は、子機側から送信されてくる電波を受信し、あるいは、親機側からの音声情報を子機側に送信する。送受信部２には、図示しないＲＦ回路や音声情報をデコードする回路等が備えられている。
【００１５】
スピーチネットワーク３は、電話回線２０からの信号をハンズフリー（拡声通話）用のスピーカ１４（発音手段）やマイク１５（音声入力手段）側に接続するのか、子機側に接続するのかを制御する。
【００１６】
回線制御部４は、電話回線２０に接続され、電話回線２０の解放（直流ループの解除）（オンフック）・閉結（直流ループの形成）（オフフック）を行う。
【００１７】
制御回路５は、動作のプログラムを記憶したＲＯＭ１０に基づき、電話装置の各部を制御する。本実施形態においては、後述する入力部7（操作手段）からの信号により、停電時に、スピーカ１４（発音手段）あるいはマイク１５（音声入力手段）のいずれをスピーチネットワーク３に接続するのかを制御する。
【００１８】
表示部６は、例えば、液晶等で構成され、ダイヤルした電話番号や電話帳などを表示する。
【００１９】
入力部７（操作手段）は、各種キー等により構成され、電話番号の入力等、各種情報の入力に用いられる。本実施形態においては、停電時に、スピーカ１４（発音手段）あるいはマイク１５（音声入力手段）のいずれをスピーチネットワーク３に接続するのかを指示する信号を前述の制御回路５に入力する場合に用いられるボタンを有している。
【００２０】
着信検出部８は、電話回線２０に接続され、着信（呼出信号）を検出し、その情報を制御回路５に出力する。
【００２１】
極性反転検出回路９は、電話回線２０に接続され、電話回線２０の極性の反転、すなわち、相手先に発したときに相手方がハンドセットを取り上げたときに回線の極性が反転することを検出し、制御回路５に出力する。
【００２２】
ＲＯＭ１０は、装置全体を制御する制御プログラムをはじめ、各種データを予め格納する。
【００２３】
ＲＡＭ１１は、不揮発性のメモリで構成され、制御回路５の動作に必要な情報、例えば、留守録の応答メッセージ、保留を知らせるメッセージや電話帳等を一時的に記憶する。
【００２４】
スイッチ１２ａ、１２ｂ（切替手段）は、制御回路５により制御され、スピーカ１４（発音手段）およびマイク１５（音声入力手段）とスピーチネットワーク３との接続あるいは開放を行う。
【００２５】
アンプ１３ａは、ハンズフリー用のスピーカ１４（発音手段）への音声信号を増幅する増幅器であり、アンプ１３ｂは、ハンズフリー用のマイク１５（音声入力手段）からの音声信号を増幅する増幅器である。
【００２６】
スピーカ１４（発音手段）は、ハンズフリー用（拡声通話用）のスピーカであり、電気信号を音声に変換する。
【００２７】
マイク１５（音声入力手段）は、ハンズフリー用（拡声通話用）のマイクであり、音声を電気信号に変換する。
【００２８】
停電検出回路１６（停電検出手段）は、外部電源をモニタし、外部電源が予め定めた所定の電圧値を下回ったときに、停電状態であることを検出する。
【００２９】
一般に、ハンズフリー回路を備えた電話装置の動作は、以下のようである。
【００３０】
まず、発呼者の電話装置の発呼により、制御回路５は、電話回線２０から送信される呼出信号を着信検出部８より受信すると、ベルを鳴動させる。
【００３１】
そして、制御回路５は、図示しない音声認識回路を使用して、例えば、「待って」、「ハーイ」、「留守」という音声を検出する。制御回路５は、上記の音声を検出すると、オフフック動作（直流ループを形成）を行い、ハンズフリー用のスピーカ１４（発音手段）とマイク１５（音声入力手段）を使用したハンズフリー通話の処理を行う。
【００３２】
次に、図２のフローチャートを用いて、停電時の処理について説明する。
【００３３】
まず、制御回路５は、発呼者の電話装置の発呼による着信があるか否かをモニタする（ステップ１０１）。そして、着信がない場合には、着信をまって待機する。一方で、着信があった場合には、停電時であるか否かを停電検出回路１６（停電検出手段）からの出力信号により判断する（ステップ１０２）。そして、停電状態でないと判断したときは、上記の通常の制御モードに移行する（ステップ１０３）。制御回路５が停電であると判断したときには、受話モードにセットする（ステップ１０４）。ここで、受話モードとは、スイッチ１２ａ（切替手段）を閉じて、スピーカ１４（発音手段）のアンプ１３ａとスピーチネットワーク３とを接続する処理をいう。このとき、スイッチ１２ｂ（切替手段）は開の状態である。また、このとき、アンプ１３ａやスピーチネットワーク３等への駆動電流の供給は、回線電流を用いて行われる。そして、次に、制御回路５は、入力部7（操作手段）に備えられた操作ボタンの操作、すなわち、スイッチ１２ｂ（切替手段）は閉の状態にして、送話モードに切替える指示があるか否かを確認する（ステップ１０５）。そして、操作ボタンの操作がないと判断したときは、ステップ１０４に戻って、受話モードを維持する。一方、操作ボタンの操作があったと判断したときは、受話モードを送話モードに切替える（ステップ１０６）。ここで、送話モードとは、スイッチ１２ｂ（切替手段）を閉じて、マイク１５（音声入力手段）のアンプ１３ｂとスピーチネットワーク３とを接続する処理をいう。このとき、スイッチ１２ａ（切替手段）は開の状態である。また、このとき、アンプ１３ｂやスピーチネットワーク３等への駆動電流の供給は、回線電流を用いて行われる。次に、再び、制御回路５は、入力部7（操作手段）に備えられた操作ボタンの操作、すなわち、スイッチ１２ａ（切替手段）は閉の状態にして、受話モードに切替える指示があるか否かを確認する（ステップ１０７）。そして、操作ボタンの操作があったと判断したときは、ステップ１０４に戻って、送信モードを受話モードに切替える。これとは逆に、操作ボタンの操作がないと判断したときは、通話が終了したか否かを極性反転検出回路９からの出力信号により判断する（ステップ１０８）。そして、通話が終了したと判断したときには、動作を終了させ、まだ、通話状態が維持されていると判断したときには、ステップ１０６に戻って、送話モードを維持する。
【００３４】
以上のことから、本実施形態においては、停電であるか否かを検出し、停電時に着信があったときには、操作ボタンの指示により、スピーチネットワーク３とアンプ１３ａ、１３ｂとの接続を制御するため、停電時の電力消費を低減させることができる。また、停電時に、駆動される回路系には、回線から駆動電流が供給されるため、バックアップ用のバッテリーを搭載した場合でも、バッテリーの消費電力を低減させることができる。
【００３５】
以上、図面を参照して本発明の実施の形態について詳述してきたが、具体的な構成はこれらの実施形態に限られるものではなく、この発明の要旨を逸脱しない範囲の設計変更等も含まれる。
【図面の簡単な説明】
【００３６】
【図１】本発明の一実施形態に係る電話装置の構成図である。
【図２】本発明の一実施形態に係る電話装置を用いて処理を行うときのフローチャートである。
【符号の説明】
【００３７】
３  スピーチネットワーク
４  回線制御部
５  制御回路
７  入力部（操作手段）
１２ａ、１２ｂ  スイッチ（切替手段）
１３ａ、１３ｂ  アンプ
１４  スピーカ（発音手段）
１５  マイク（音声入力手段）
１６  停電検出回路（停電検出手段）
２０  電話回線（回線）
【図１】
0004488845.tif 000002
【図２】
0004488845.tif 000003